(57)【要約】【課題】ストレスを解消して、常に前向きで、やる気のある気分にすることが出来るブレスレット型ストレス解消及び自己啓発器具を提供すること。【解決手段】手首に付けて使用するブレスレット型ストレス解消及び自己啓発器具本体１のディスプレー画面２に、使用者が常に前向きな感情で過ごせるように、前向きな言葉を常に次々と繰り返し表示する。またストレスを感じてイライラした時に押すスイッチ３や、寂しい時などに押すスイッチ４などがあり、やる気を出したい時、元気を出したい時などにも、それぞれの気分の時に押すスイッチを押すと、ディスプレー画面２にそれぞれの感情に合わせた癒しの言葉や元気付ける言、やる気を出させる言葉等が抜粋されて次々と表示される。そのことで使用者のストレス解消や自己啓発を促し、気分を落ち着かせて自己免疫力や治癒力、潜在能力を発揮させる事が出来る事を特徴とする。【選択図】図１
2017192685.tif 000002
【特許請求の範囲】
【請求項１】
手首に付けるブレスレットにディスプレー画面が付いていて、その画面に前向きな言葉や癒しの言葉、感謝の言葉、やる気の言葉等の言葉が次々と繰り返し表示され、本発明のブレスレット使用者の感情を常に前向きにすることが出来る事を特徴とした、ブレスレット型ストレス解消及び自己啓発器具である。
【請求項２】
前記のブレスレットにスイッチが付いていて、ストレスを感じてイライラし、自分の感情が抑えられない様な時にブレスレットのスイッチ押すと、ブレスレットのディスプレー画面に気分を落ち着かせる内容の言葉が次々と表示される。イライラした感情を抑える言葉は「大丈夫、大丈夫」「気持ちを楽に、楽に」「怒って得することは何もない」「ありがとう」「うれしい」等の言葉であり、イライラして感情的になりそうな自分を戒め、心を落ち着かせる事が出来る事を特徴とした請求項１に記載のブレスレット型ストレス解消及び自己啓発器具である。
【請求項３】
前記のブレスレットに別のスイッチが付いていて、気分が落ち込み寂しい様な時にブレスレットのスイッチを押すと、ブレスレットのディスプレー画面に落ち込んで寂しい気分を癒し、元気付ける内容の言葉が次々と表示される。落ち込んで寂しい気分を癒す言葉は「あなたなら大丈夫」「何とかなります」「きっと良いことがあるよ」「ありがとう」「うれしい」等の言葉であり、落ち込んで寂しい気分を癒す事が出来る事を特徴とした請求項１に記載のブレスレット型ストレス解消及び自己啓発器具である。
【請求項４】
前記のブレスレットにまた別のスイッチが付いていて、スポーツや勉強、ビジネス等で、やる気を出したい時にブレスレットのスイッチを押すと、ブレスレットのディスプレー画面にやる気が出る内容の言葉が次々と表示される。やる気が出る言葉は「私は出来る」「絶対勝つ」「目標達成」「チャンスが来た」「絶対合格」「ありがとう」「うれしい」等の言葉であり、やる気が出て、その人が本来持っている潜在能力を引き出す手助けとなる事を特徴とした請求項１に記載のブレスレット型ストレス解消及び自己啓発器具である。
【請求項５】
前記のブレスレットにまた別のスイッチが付いていて、体調が悪く元気が出ない時や気分が優れない等で元気付けてほしい時にブレスレットのスイッチを押すと、ブレスレットのディスプレー画面に元気付けられる様な内容の言葉が次々と表示される。元気付けられる言葉は「元気、元気」「ゆっくり休んで」「気楽にやろう」「ありがとう」「うれしい」等の言葉であり、気分を元気付けられ、その人が本来持っている免疫力や治癒力を引き出す手助けとなる事を特徴とした請求項１に記載のブレスレット型ストレス解消及び自己啓発器具である。
【請求項６】
前記のブレスレットには、どのスイッチを何回押したかカウントされる機能があり、ブレスレットを使用した人が、一日単位もしくは週単位等でどのような感情の時が多かったかが分かるようになっている事を特徴とした請求項２または３、４、５に記載のブレスレット型ストレス解消及び自己啓発器具である。
【請求項７】
前記のブレスレットに付いているスイッチを押すと、ブレスレットのディスプレー画面に表示される内容の言葉と同じ内容の音声も流れ、画面表示と音声で使用者の感情を常に前向きにして、ストレス解消及び自己啓発にも役立つ事を特徴とした請求項２または３、４、５に記載のブレスレット型ストレス解消及び自己啓発器具である。
【発明の詳細な説明】
【技術分野】
【０００１】  本発明は、使用者が常に前向きな感情で過ごせるようにブレスレットのディスプレー画面に前向きな言葉を次々と繰り返し表示し、また精神的にストレスを感じた時や寂しい時、やる気を出したい時、元気を出したい時などにブレスレットのスイッチを押すとディスプレー画面にそれぞれの感情に合わせた、癒しの言葉や元気付ける言葉等が次々と表示され、使用者のストレス解消や自己啓発を促し気分を落ち着かせ自己免疫力や治癒力、潜在能力を発揮させる。また使用者が、どの様なストレスや感情の時のスイッチを押したかをカウントするためのブレスレット型ストレス解消及び自己啓発器具に関するものである。
【背景技術】
【０００２】  従来、ストレスを解消するために体に取り付けて体をマッサージしたりして使用する物が提案されている（例えば、特許文献１参照）。また、ストレスを診断したり軽減や解消したりするための器具や遊具も提案されている（例えば、特許文献２参照）。
【先行技術文献】
【特許文献】
【０００３】
【特許文献１】  特開２０１５−０９７７１１号  特開平１１−０３０９６７号  実登３００７３８１号
【特許文献２】  特開２００４−３５７８２１号  特表２０１０−５１２２１６号  実登３１９０２５９号
【発明の概要】
【発明が解決しようとする課題】
【０００４】  しかしながら、このような従来の物では、ストレスを解消する手助けが出来ても、ストレスを感じてイライラした気分や憂鬱で沈んだ気分を前向きで明るく、やる気のある気分に変えることは出来なかった。ストレス等で憂鬱で沈んだ気分だと、本来身体に備わっている治癒力や免疫力も低下し、やる気も無くして潜在能力が発揮出来ないと言う問題がある。
【課題を解決するための手段】
【０００５】  本発明のブレスレット型ストレス解消及び自己啓発器具は、手首に取り付けて使用し、ブレスレットに付いているディスプレー画面に前向きな言葉や癒しの言葉、やる気の言葉、元気が出る言葉等が常に次々と繰り返し表示されていて、本発明のブレスレット使用者の感情を常に前向きにすることが出来る。表示される前向きな言葉は「ありがとう」「うれしい」「大丈夫」「気持ちを楽に」「私は出来る」「絶対勝つ」「目標達成」「絶対合格」「元気」「感謝」「笑顔」等で、ブレスレットに目をやれば、常に前向きな言葉を目にすることができる。【０００６】  本発明のブレスレット型ストレス解消及び自己啓発器具には、使用する人が感じたストレスに応じて押すスイッチが分けてあり、ストレスを感じイライラした時に押すスイッチを押すとブレスレットのディスプレー画面に、気分を落ち着かせる為の言葉が抜粋されて次々と表示される。イライラした感情を抑える言葉は「大丈夫、大丈夫」「気持ちを楽に、楽に」「怒って得することは何もない」「ありがとう」「うれしい」等の言葉であり、イライラして感情的になりそうな自分を戒め、心を落ち着かせることが出来る。【０００７】  本発明のブレスレット型ストレス解消及び自己啓発器具には、使用する人が感じたストレスに応じて押すスイッチが分けてあり、気分が落ち込み寂しい時に押すスイッチを押すと、ブレスレットのディスプレー画面に、落ち込んで寂しい気分を癒し、元気付ける様な言葉が抜粋されて次々と表示される。落ち込んで寂しい気分を癒す言葉は「あなたなら大丈夫」「何とかなります」「きっと良いことがあるよ」「ありがとう」「うれしい」等の言葉であり、落ち込んで寂しい気分を癒すことが出来る。【０００８】  本発明のブレスレット型ストレス解消及び自己啓発器具には、使用する人が感じたストレスに応じて押すスイッチが分けてあり、スポーツや勉強、ビジネス等で、やる気を出したい時に押すスイッチを押すと、ブレスレットのディスプレー画面に、やる気が出る言葉が抜粋されて次々と表示される。やる気が出る言葉は「私は出来る」「絶対勝つ」「目標達成」「チャンスが来た」「絶対合格」「ありがとう」「うれしい」等の言葉であり、気持ちを勇気付けられ、やる気が出て、その人が本来持っている潜在能力を引き出すことが出来る。【０００９】  本発明のブレスレット型ストレス解消及び自己啓発器具には、使用する人が感じたストレスに応じて押すスイッチが分けてあり、体調が悪く元気が出ない時や気分が優れない等で元気付けてほしい時にブレスレットのスイッチを押すと、ブレスレットのディスプレー画面に、元気付けられる言葉が抜粋されて次々と表示される。元気付けられる言葉は「元気、元気」「ゆっくり休んで」「気楽にやろう」「ありがとう」「うれしい」等の言葉であり、気分を元気付けられ、その人が本来持っている免疫力や治癒力を引き出す手助けとなる。【００１０】  本発明のブレスレット型ストレス解消及び自己啓発器具には、どのスイッチを何回押したかカウントされる機能があり、ブレスレットを使用した人が、一日単位もしくは週単位等でどのような感情の時が多かったかが分かるようになっていて、感情や気持ちの管理が出来る。【００１１】  本���明のブレスレット型ストレス解消及び自己啓発器具には、ブレスレットに付いているスイッチを押すと、ブレスレットのディスプレー画面に表示される内容と同じ内容の音声も流れ、画面表示と音声で使用者の感情を常に前向きにして、ストレス解消及び自己啓発にも役立てる事ができる。
【発明の効果】
【００１２】  請求項１の発明によれば、ブレスレットのディスプレー画面に常に次々と繰り返し前向きな言葉が表示され「ありがとう」「うれしい」「大丈夫」「気持ちを楽に」「私は出来る」「絶対勝つ」「目標達成」「絶対合格」「元気」「感謝」「笑顔」等の前向きな言葉を目にすることでストレスを解消する助けにもなり、また憂鬱で沈んだ気分を前向きな気分に変えることを助ける。憂鬱で沈んだ気分で過ごすより、明るく前向きな気分で過ごす方が、本来体に備わっている治癒力や免疫力も上がり、潜在能力も発揮できる効果が期待できる。【００１３】  請求項２の発明によれば、本発明のブレスレット型ストレス解消及び自己啓発器具は、イライラした時に押すスイッチを押すとブレスレットのディスプレー画面に、気分を落ち着かせる言葉が抜粋されて次々と表示される。イライラした感情を抑える言葉は「大丈夫、大丈夫」「気持ちを楽に、楽に」「怒って得をすることは何もない」「ありがとう」「うれしい」等の言葉であり、イライラして感情的になりそうな自分を戒め、心を落ち着かせる事ができ、感情的になって他人と喧嘩になったり、物に当たったりすることを防止できる効果が期待できる。【００１４】  請求項３の発明によれば、本発明のブレスレット型ストレス解消及び自己啓発器具は、気分が落ち込み寂しい時に押すスイッチを押すと、ブレスレットのディスプレー画面に、落ち込んで寂しい気分を癒し、元気付ける内容の言葉が抜粋されて次々と表示される。落ち込んで寂しい気分を癒す言葉は「あなたなら大丈夫」「何とかなります」「きっと良いことがあるよ」「ありがとう」「うれしい」等の言葉であり、落ち込んで寂しい気分を癒す事ができ、寂しい気持ちから他人や自分を傷つけたり、悪い事をしたいと言う気持ちを抑える事が出来る効果が期待できる。【００１５】  請求項４の発明によれば、本発明のブレスレット型ストレス解消及び自己啓発器具は、スポーツや勉強、ビジネス等で、やる気を出したい時に押すスイッチを押すと、ブレスレットのディスプレー画面に、やる気が出る内容の言葉が抜粋されて次々と表示される。やる気が出る言葉は「私は出来る」「絶対勝つ」「目標達成」「チャンスが来た」「絶対合格」「ありがとう」「うれしい」等の言葉であり、気持ちを勇気付けられ、やる気が出て、その人が本来持っている潜在能力を引き出す効果が期待できる。【００１６】  請求項５の発明によれば、本発明のブレスレット型ストレス解消及び自己啓発器具は、体調が悪く元気が出ない時や気分が優れない時に押すスイッチを押すと、ブレスレットのディスプレー画面に、元気付けられる内容の言葉が抜粋されて次々と表示される。元気付けられる言葉は「元気、元気」「ゆっくり休んで」「気楽にやろう」「ありがとう」「うれしい」等の言葉であり、気分を元気付けられ、その人が本来持っている治癒力や免疫力を引き出す手助けとなる効果が期待できる。【００１７】  請求項６の発明によれば、本発明のブレスレット型ストレス解消及び自己啓発器具には、どのスイッチを何回押したかカウントされる機能があり、ブレスレットを使用した人が、一日単位もしくは週単位等でどのような感情の時が多かったかが分かるようになっている。本発明のブレスレットを子供が使用した場合、その子供の保護者がブレスレットにカウントされた感情のスイッチの回数を確認し、その子供が最近どの様な感情の時が多いか把握できる。これによって子供の心の状態が分かりアドバイスすることで、子育ての参考に出来る効果が期待できる。【００１８】  請求項７の発明によれば、本発明のブレスレット型ストレス解消及び自己啓発器具は、ブレスレットに付いているスイッチを押すと、ブレスレットのディスプレー画面に表示される内容の言葉と同じ内容の音声も流れる為、目が不自由な方でも使用できたり、暗くてディスプレー画面が見にくい時でも使用できたりする。またディスプレー画面表示と音声とで前向きな言葉が確認出来て、よりストレスの解消や自己啓発が促進される効果が期待できる。
【図面の簡単な説明】
【００１９】
【図１】本発明のブレスレット型ストレス解消及び自己啓発器具の外観斜視図である。
【図２】本発明のブレスレット型ストレス解消及び自己啓発器具の前向きな言葉を表示した正面平面図である。
【図３】本発明のブレスレット型ストレス解消及び自己啓発器具の側面平面図である。
【図４】本発明のブレスレット型ストレス解消及び自己啓発器具のスイッチを押した回数を表示した正面平面図である。
【発明を実施するための形態】
本発明の実施形態について図面を参照して説明する。
【００２０】  図１は、本発明のブレスレット型ストレス解消及び自己啓発器具本体１の外観斜系図である。このブレスレットは手首に取り付けて使用する物である。
【００２１】  このブレスレット型ストレス解消及び自己啓発器具本体１は、図１に示されるように、ブレスレット本体１の表面に前向きな言葉を表示するディスプレー画面２があり、ディスプレー画面２には常に前向きな言葉の「ありがとう」「うれしい」「大丈夫」「気持ちを楽に」「私は出来る」「絶対勝つ」「目標達成」「絶対合格」「元気」「感謝」「笑顔」等が次々と繰り返し表示されている。
【００２２】  図２に示されるように、ブレスレット本体１の側面にスイッチ３があり、ストレスを感じイライラした時にスイッチ３を押すとディスプレー画面２に気分を落ち着かせる為の言葉が抜粋されて次々と表示される。イライラした感情を抑える言葉は「大丈夫、大丈夫」「気持ちを楽に、楽に」「怒って得をする事は何もない」「ありがとう」「うれしい」等の言葉であり、イライラして感情的になりそうな自分を戒め、心を落ち着かせることが出来る。
【００２３】  図２に示されるように、ブレスレット本体１の側面にスイッチ４があり、気分が落ち込み寂しい時にスイッチ４を押すと、落ち込んで寂しい気分を癒し、元気付ける様な言葉が抜粋されてディスプレー画面２に次々と表示される。落ち込んで寂しい気分を癒す言葉は「あなたなら大丈夫」「何とかなります」「きっと良いことがあるよ」「ありがとう」「うれしい」等の言葉であり、落ち込んで寂しい気分を癒すことが出来る。
【００２４】  図２に示されるように、ブレスレット本体１の側面にスイッチ５があり、スポーツや勉強、ビジネス等で、やる気が出したい時にスイッチ５を押すと、やる気が出る言葉が抜粋されてディスプレー画面２に次々と表示される。やる気が出る言葉は「私は出来る」「絶対勝つ」「目標達成」「チャンスが来た」「絶対合格」「ありがとう」「うれしい」等の言葉であり、気持ちを勇気付けられ、やる気が出て、その人が本来持っている潜在能力を引き出すことが出来る。
【００２５】  図２に示されるように、ブレスレット本体１の側面にスイッチ６があり、体調が悪く元気が出ない時や気分が優れない等で元気付けてほしい時にスイッチ６を押すと、元気付けられる様な言葉が抜粋されてディスプレー画面２に次々と表示される。元気付けられる言葉は「元気、元気」「ゆっくり休んで」「気楽にやろう」「ありがとう」「うれしい」等の言葉であり、気分を元気付けられ、その人が本来持っている免疫力や治癒力を引き出す手助けとなる。
【００２６】  図４に示されるように、本発明のブレスレット型ストレス解消及び自己啓発器具本体１には、どのスイッチを何回押したかカウントされる機能があり、たとえばブレスレット本体１の側面に有るスイッチ３とスイッチ５を同時に押すと、ディスプレー画面２にそれぞれのスイッチを押した回数が表示される。本発明のブレスレットを使用した人が、一日単位もしくは週単位等でどのような感情の時が多かったかが分かるようになっている。
【００２７】  図２に示されるように、ブレスレット本体１の前面にスピーカー７があり、スイッチ３、４、５、６を押すと、それぞれのスイッチを押した時にディスプレー画面２に表示される内容の言葉と同じ内容の音声がスピーカー７から流れる為、目が不自由な方でも使用できたり、暗くてディスプレー画面２が見にくい時でも使用できたりする。また、ブレスレット本体１の側面に有るスイッチ４とスイッチ６を同時に押すとマナーモード設定のＯＮ、ＯＦＦの切り替えが出来るようにしておけば、音声で周りの人に迷惑を掛けない。
【符号の説明】
【００２８】１    ブレスレット型ストレス解消及び自己啓発器具本体
２    ディスプレー画面
３    ストレスでイライラした時に押すスイッチ
４    寂しさを感じた時に押すスイッチ
５    やる気を出したい時に押すスイッチ
６    元気を出したい時に押すスイッチ
７    スピーカー
８    ディスプレー基板カバー
【図１】
2017192685.tif 000003
【図２】
2017192685.tif 000004
【図３】
2017192685.tif 000005
【図４】
2017192685.tif 000006